(57)【要約】【課題】適切なタイミングで出湯を停止させて出湯量を低減させる。【解決手段】出湯制御システム１は、少なくとも１つのセンサ装置２と、出湯を制御する制御装置３とを備える。センサ装置２は、身体を洗うための洗浄剤を収容する容器に取り付けられる。センサ装置２は、センサ２１と、第１通信部２２とを含む。センサ２１は、容器から洗浄剤を排出するための動作を検出する。第１通信部２２は、センサ２１の検出結果を送信する。制御装置３は、第２通信部３１と、出湯制御部３２とを含む。第２通信部３１は、第１通信部２２からセンサ２１の検出結果を受信する。出湯制御部３２は、第２通信部３１で検出結果が受信されると出湯を停止させる。【選択図】図１
2019166109.tif 000002
【特許請求の範囲】
【請求項１】
身体を洗うための洗浄剤を収容する容器に取り付けられる少なくとも１つのセンサ装置と、
出湯を制御する制御装置と、を備え、
前記センサ装置は、
前記容器から前記洗浄剤を排出するための動作を検出するセンサと、
前記センサの検出結果を送信する第１通信部と、を含み、
前記制御装置は、
前記第１通信部から前記センサの前記検出結果を受信する第２通信部と、
前記第２通信部で前記検出結果が受信されると前記出湯を停止させる出湯制御部と、を含む
ことを特徴とする出湯制御システム。
【請求項２】
前記第１通信部は、前記検出結果を無線信号で送信し、
前記第２通信部は、前記検出結果を前記無線信号で受信する
ことを特徴とする請求項１に記載の出湯制御システム。
【請求項３】
前記センサ装置を複数備え、
前記複数のセンサ装置は、複数の容器に一対一に対応し、対応する容器に取り付けられ、
前記複数のセンサ装置は、互いに異なる識別情報を有し、
前記制御装置は、
前記識別情報ごとに、前記出湯を停止させる停止時間を記憶する記憶部と、
前記出湯を停止させてからの経過時間を計測するタイマと、を更に含み、
前記出湯制御部は、前記識別情報ごとに、前記タイマで計測された前記経過時間が前記停止時間以上になると、前記出湯を再開させる
ことを特徴とする請求項１又は２に記載の出湯制御システム。
【請求項４】
身体を洗うための洗浄剤を容器から排出するための動作に関する動作情報を取得する取得部と、
前記取得部で前記動作情報が取得されると出湯を停止させる出湯制御部と、を備える
ことを特徴とする制御装置。
【請求項５】
前記取得部は、前記容器から前記洗浄剤を排出するための動作を検出するセンサの検出結果を前記動作情報として取得する
ことを特徴とする請求項４に記載の制御装置。
【請求項６】
前記出湯制御部は、前記出湯を停止させた後に所定の事象が発生すると、前記出湯を再開させる
ことを特徴とする請求項４又は５に記載の制御装置。
【請求項７】
前記出湯を停止させる停止時間を記憶する記憶部と、
前記出湯を停止させてからの経過時間を計測するタイマと、を更に備え、
前記出湯制御部は、前記タイマで計測された前記経過時間が前記停止時間を超えると、前記出湯を再開させる
ことを特徴とする請求項６に記載の制御装置。
【請求項８】
音声を認識する音声認識部を更に備え、
前記出湯制御部は、
前記音声認識部で音声が認識されると、前記出湯を再開させる
ことを特徴とする請求項６に記載の制御装置。
【請求項９】
前記取得部は、無線通信によって前記動作情報を取得する
ことを特徴とする請求項４〜８のいずれか１項に記載の制御装置。
【請求項１０】
前記出湯制御部は、前記出湯を停止させる停止時間を延長又は短縮するための変更要求がある場合、前記停止時間を延長する
ことを特徴とする請求項４〜９のいずれか１項に記載の制御装置。
【請求項１１】
請求項１〜３のいずれか１項に記載の出湯制御システムに用いられるセンサ装置。
【請求項１２】
請求項１〜３のいずれか１項に記載の出湯制御システムに用いられるセンサ装置と、
前記洗浄剤を収容する容器本体と、を備え、
前記センサ装置は、前記容器本体に取り付けられている
ことを特徴とする容器。
【発明の詳細な説明】
【技術分野】
【０００１】
本発明は、一般に出湯制御システム、制御装置、センサ装置、及び容器に関し、より詳細には、出湯を制御する出湯制御システム、制御装置、センサ装置、及び容器に関する。
【背景技術】
【０００２】
従来、浴室等で洗髪等を行うために用いられるシャワーシステムが知られている（例えば、特許文献１参照）。
【０００３】
特許文献１に記載されたシャワーシステムは、プログラマブルコントローラを備える。プログラマブルコントローラは、あらかじめ設定された開閉制御パターンに従って、給湯器とシャワーヘッドとの間に設けられている制御バルブの開閉制御を行う。
【先行技術文献】
【特許文献】
【０００４】
【特許文献１】特開平６−５４７６９号公報
【発明の概要】
【発明が解決しようとする課題】
【０００５】
しかしながら、特許文献１に記載されたシャワーシステムでは、あらかじめ設定された開閉制御パターンでしか出湯を停止させることができなかった。このため、洗浄動作にずれが生じると、不適切なタイミングで出湯が停止したり、出湯が再開されたりする。例えば、同じ人であっても、入浴の度に洗浄動作に時間のずれがあるため、日によっては、出湯を停止させるタイミング、出湯を再開させるタイミングが適切でない場合がある。
【０００６】
本発明の目的は、適切なタイミングで出湯を停止させて出湯量を低減させることができる出湯制御システム、制御装置、センサ装置、及び容器を提供することにある。
【課題を解決するための手段】
【０００７】
請求項１の発明に係る出湯制御システムは、少なくとも１つのセンサ装置と、制御装置とを備える。前記センサ装置は、身体を洗うための洗浄剤を収容する容器に取り付けられる。前記制御装置は、出湯を制御する。前記センサ装置は、センサと、第１通信部とを含む。前記センサは、前記容器から前記洗浄剤を排出するための動作を検出する。前記第１通信部は、前記センサの検出結果を送信する。前記制御装置は、第２通信部と、出湯制御部とを含む。前記第２通信部は、前記第１通信部から前記センサの前記検出結果を受信する。前記出湯制御部は、前記第２通信部で前記検出結果が受信されると前記出湯を停止させる。
【０００８】
請求項２の発明に係る出湯制御システムでは、請求項１の発明に係る出湯制御システムにおいて、前記第１通信部は、前記検出結果を無線信号で送信し、前記第２通信部は、前記検出結果を前記無線信号で受信する。
【０００９】
請求項３の発明に係る出湯制御システムは、請求項１又は２の発明に係る出湯制御システムにおいて、前記センサ装置を複数備える。前記複数のセンサ装置は、複数の容器に一対一に対応し、対応する容器に取り付けられる。前記複数のセンサ装置は、互いに異なる識別情報を有する。前記制御装置は、記憶部と、タイマとを更に含む。前記記憶部は、前記識別情報ごとに、前記出湯を停止させる停止時間を記憶する。前記タイマは、前記出湯を停止させてからの経過時間を計測する。前記出湯制御部は、前記識別情報ごとに、前記タイマで計測された前記経過時間が前記停止時間以上になると、前記出湯を再開させる。
【００１０】
請求項４の発明に係る制御装置は、取得部と、出湯制御部とを備える。前記取得部は、身体を洗うための洗浄剤を容器から排出するための動作に関する動作情報を取得する。前記出湯制御部は、前記取得部で前記動作情報が取得されると出湯を停止させる。
【００１１】
請求項５の発明に係る制御装置では、請求項４の発明に係る制御装置において、前記取得部は、前記容器から前記洗浄剤を排出するための動作を検出するセンサの検出結果を前記動作情報として取得する。
【００１２】
請求項６の発明に係る制御装置では、請求項４又は５の発明に係る制御装置において、前記出湯制御部は、前記出湯を停止させた後に所定の事象が発生すると、前記出湯を再開させる。
【００１３】
請求項７の発明に係る制御装置は、請求項６の発明に係る制御装置において、記憶部と、タイマとを更に備える。前記記憶部は、前記出湯を停止させる停止時間を記憶する。前記タイマは、前記出湯を停止させてからの経過時間を計測する。前記出湯制御部は、前記タイマで計測された前記経過時間が前記停止時間を超えると、前記出湯を再開させる。
【００１４】
請求項８の発明に係る制御装置は、請求項６の発明に係る制御装置において、音声認識部を更に備える。前記音声認識部は、音声を認識する。前記出湯制御部は、前記音声認識部で音声が認識されると、前記出湯を再開させる。
【００１５】
請求項９の発明に係る制御装置では、請求項４〜８のいずれか１項の発明に係る制御装置において、前記取得部は、無線通信によって前記動作情報を取得する。
【００１６】
請求項１０の発明に係る制御装置では、請求項４〜９のいずれか１項の発明に係る制御装置では、前記出湯制御部は、前記出湯を停止させる停止時間を延長又は短縮するための変更要求がある場合、前記停止時間を延長する。
【００１７】
請求項１１の発明に係るセンサ装置は、請求項１〜３のいずれか１項の発明に係る出湯制御システムに用いられる。
【００１８】
請求項１２の発明に係る容器は、請求項１〜３のいずれか１項の発明に係る出湯制御システムに用いられるセンサ装置と、前記洗浄剤を収容する容器本体と、を備える。前記センサ装置は、前記容器本体に取り付けられている。
【発明の効果】
【００１９】
請求項１の発明に係る出湯制御システムでは、容器に取り付けられるセンサ装置において、容器から洗浄剤を排出するための動作をセンサが検出し、制御装置において、容器から洗浄剤を排出するための動作についての検出結果を第２通信部が受信すると、出湯制御部が出湯を停止させる。これにより、適切なタイミングで出湯を停止させて出湯量を低減させることができる。例えば、身体を洗っている期間、出湯を停止させることができるので、身体を洗っている期間の出湯量を低減させることができる。
【００２０】
請求項２の発明に係る出湯制御システムでは、センサ装置の第１通信部と制御装置の第２通信部との間で無線通信が行われる。これにより、有線で通信を行う場合とは異なり、配線作業を不要とする。入浴者は、見かけ上、従来と同じような雰囲気で、身体を洗うことができる。
【００２１】
請求項３の発明に係る出湯制御システムでは、センサ装置の識別情報ごとに停止時間が記憶されている。これにより、容器ごとに停止時間を変えることができる。例えば、シャンプーを使っているときと、リンスを使っているときとで、停止時間を変えることができる。また、複数の人が互いに異なるシャンプーを使う場合では、人によって停止時間を変えることができるので、停止時間を個人の好みに合わせることができる。
【００２２】
請求項４の発明に係る制御装置では、身体を洗うための洗浄剤を排出するための動作についての動作情報を取得部が取得すると、出湯制御部が出湯を停止させる。これにより、身体を洗っている期間の出湯量を低減させることができる。
【００２３】
請求項５の発明に係る制御装置では、取得部が、容器から洗浄剤を排出するための動作を検出するセンサの検出結果を動作情報として取得する。これにより、容器から洗浄剤を排出するための動作に関する動作情報を精度よく取得することができる。
【００２４】
請求項６の発明に係る制御装置では、所定の事象が発生すると、出湯制御部が出湯を再開させる。これにより、身体に付着した洗浄剤を洗い流すときに湯水を使うことができる。
【００２５】
請求項７の発明に係る制御装置では、出湯を停止させてからの経過時間が停止時間を超えると、出湯制御部が出湯を再開させる。これにより、自動で出湯を再開させることができる。例えば、身体を洗うための時間が予測できていたら、上記時間を停止時間として記憶部に事前に記憶させておくことで、身体を洗い終わったタイミングで、自動で出湯を再開させることができる。
【００２６】
請求項８の発明に係る制御装置では、音声認識部で音声が認識されると、出湯制御部が出湯を再開させる。これにより、入浴者の手を使わずに簡単に出湯を再開させることができる。
【００２７】
請求項９の発明に係る制御装置では、無線通信によって動作情報を取得する。これにより、有線で通信を行う場合とは異なり、配線作業を不要とする。入浴者は、見かけ上、従来と同じような雰囲気で、身体を洗うことができる。
【００２８】
請求項１０の発明に係る制御装置では、変更要求に応じて停止時間を延長又は短縮させることができる。これにより、身体を洗う時間がいつもより長くなりそうな場合、出湯を再開させるタイミングを遅らせることができる。
【００２９】
請求項１１の発明に係るセンサ装置では、容器から洗浄剤を排出するための動作をセンサが検出し、センサの検出結果を第１通信部が送信する。これにより、センサの検出結果の送信先である制御装置が出湯を停止させることができるので、身体を洗っている期間の出湯量を低減させることができる。
【００３０】
請求項１２の発明に係る容器では、容器から洗浄剤を排出するための動作をセンサが検出し、センサの検出結果を第１通信部が送信する。これにより、センサの検出結果の送信先である制御装置が出湯を停止させることができるので、身体を洗っている期間の出湯量を低減させることができる。
【図面の簡単な説明】
【００３１】
【図１】図１は、本発明の一実施形態に係る給湯制御システムのブロック図である。
【図２】図２は、本発明の一実施形態に係るセンサ装置及び容器の外観図である。
【図３】図３は、同上の給湯制御システムの動作を示すフローチャートである。
【図４】図４は、本発明の一実施形態の変形例に係る容器の外観図である。
【発明を実施するための形態】
【００３２】
以下、実施形態に係る出湯制御システム、制御装置、センサ装置、及び容器について、図面を参照して説明する。下記の実施形態等において説明する図２及び図４は、模式的な図であり、図中の各構成要素の大きさや厚さそれぞれの比が、必ずしも実際の寸法比を反映しているとは限らない。
【００３３】
（実施形態）
（１）出湯制御システム
本実施形態に係る出湯制御システム１は、図１に示すように、複数（図示例では２つ）のセンサ装置２と、制御装置３とを備える。各センサ装置２は、身体を洗うための洗浄剤７（図２参照）を収容する容器６（図２参照）に取り付けられる。制御装置３は、例えばシャワー５２からの出湯を制御する。
【００３４】
複数のセンサ装置２の各々は、センサ２１と、第１通信部２２とを含む。センサ２１は、容器６から洗浄剤７を排出するための動作を検出する。第１通信部２２は、センサ２１の検出結果を送信する。
【００３５】
制御装置３は、第２通信部３１と、出湯制御部３２とを含む。第２通信部３１は、第１通信部２２からセンサ２１の検出結果を受信する。出湯制御部３２は、第２通信部３１で検出結果が受信されると、出湯を停止させる。
【００３６】
本実施形態に係る出湯制御システム１は、図１に示すような給湯システム５に用いられ、例えば、浴室におけるシャワー５２からの出湯を制御するために用いられる。
【００３７】
本実施形態に係る出湯制御システム１は、シャワー５２から出湯されている状態で、洗浄剤７の排出動作を検出し、シャワー５２からの出湯を停止させる。入浴者は、出湯が停止している期間に、身体、頭髪等の洗浄を行うことができる。
【００３８】
（２）給湯システム
給湯システム５は、出湯制御システム１と、給湯器５１と、シャワー５２と、給水路５３と、バルブ５４とを備える。
【００３９】
バルブ５４は、給湯器５１とシャワー５２との間の給水路５３に設けられている。バルブ５４が開状態であるとき、給水路５３が開いて給湯器５１からシャワー５２へ湯水を流すことができる。一方、バルブ５４が閉状態であるとき、給水路５３が閉じて給湯器５１からシャワー５２へ湯水が流れるのを停止する。バルブ５４の制御は、制御装置３によって行われる。
【００４０】
（３）出湯制御システムの各構成要素
次に、本実施形態に係る出湯制御システム１の各構成要素について、図面を参照して説明する。
【００４１】
（３．１）センサ装置
複数のセンサ装置２の各々は、センサ２１と、第１通信部２２と、記憶部２３と、電池２４とを備える。各センサ装置２は、洗浄剤７（図２参照）を収容する容器６（図２参照）に取り付けられる。本実施形態では、複数のセンサ装置２は、複数の容器６に一対一に対応し、図２に示すように、対応する容器６に取り付けられる。複数のセンサ装置２は、互いに異なる識別情報を有する。
【００４２】
容器６は、容器本体６１と、ポンプノズル６２とを備える。ポンプノズル６２は、ユーザの押操作がなされる押操作部６３を有する。容器６に収容されている洗浄剤７は、身体を洗うための洗浄剤であり、例えば、シャンプー、リンス、ボディソープ、又はハンドソープである。
【００４３】
（３．１．１）センサ
センサ２１は、容器６から洗浄剤７を排出するための動作を検出する。例えば、センサ２１は、マグネットセンサである。
【００４４】
（３．１．２）第１通信部
第１通信部２２は、センサ２１の検出結果を送信する。より詳細には、第１通信部２２は、センサ２１の検出結果を無線通信にて後述の第２通信部３１へ送信する。無線通信の方式としては、Ｂｌｕｅｔｏｏｔｈ（登録商標）等が用いられる。
【００４５】
（３．１．３）記憶部
記憶部２３は、例えば半導体メモリであり、自己が属するセンサ装置２に付与された識別情報を記憶する。
【００４６】
（３．１．４）電池
電池２４は、例えばニッケル水素電池又はリチウムイオン電池のような二次電池であり、センサ装置２を駆動するための電源である。なお、電池２４は、二次電池ではなく、一次電池であってもよい。
【００４７】
（３．２）制御装置
制御装置３は、第２通信部３１と、出湯制御部３２と、タイマ３３と、報知制御部３４と、記憶部３５と、音声認識部３６とを備え、シャワー５２からの出湯を制御する。制御装置３は、例えば、ＣＰＵ（Central Processing Unit：中央処理装置）等のプロセッサ及びメモリを含むコンピュータ（マイクロコンピュータを含む）を有する。コンピュータは、適宜のプログラムを実行することにより、制御装置３として機能する。
【００４８】
（３．２．１）第２通信部
第２通信部３１は、センサ装置２の第１通信部２２からセンサ２１の検出結果を受信する。より詳細には、第２通信部３１は、センサ２１の検出結果を無線信号で受信する。
【００４９】
言い換えると、第２通信部３１は、身体を洗うための洗浄剤７を容器６から排出するための動作に関する動作情報を取得する取得部である。つまり、第２通信部３１は、容器６から洗浄剤７を排出するための動作を検出するセンサ２１の検出結果を動作情報として取得する。第２通信部３１は、無線通信によって動作情報を取得する。なお、出湯を停止させる検出結果は、容器６から洗浄剤７を排出するための動作が行われたという検出結果である。容器６から洗浄剤７を排出するための動作が行われないときは、第２通信部３１は、センサ２１の検出結果を受信しない。
【００５０】
（３．２．２）記憶部
記憶部３５は、例えば半導体メモリを有し、出湯を停止させる停止時間（例えば５分間）を記憶する。より詳細には、記憶部３５は、センサ装置２の識別情報ごとに停止時間を記憶する。つまり、記憶部３５は、容器６ごとに停止時間を記憶する。記憶部３５は、センサ装置２の識別情報と停止時間との組合せを記憶する。
【００５１】
記憶部３５は、制御装置３（コンピュータ）が各種の機能を実行するためのプログラムを格納している。上記プログラムは、制御装置３の出荷時に記憶部３５にあらかじめ格納されている。ただし、上記プログラムは、制御装置３の出荷後に制御装置３が取得してもよい。制御装置３が当該プログラムを出荷後に取得する場合、制御装置３が当該プログラムを取得する手法の一例としては、当該プログラムを記録したコンピュータ読み取り可能な記録媒体を用いる手法がある。記録媒体を用いる手法の場合、制御装置３は、記録媒体のデータを読み取るための読取装置（図示せず）を備えていればよい。記録媒体としては、例えば光ディスクやメモリカードなどがある。読取装置としては、光ディスクの情報を読み出すドライブ装置や、メモリカードの情報を読み出すメモリカードリーダなどがある。また、制御装置３が当該プログラムを取得する他の手法としては、ネットワークを用いて当該プログラムを他の装置（例えばサーバ）からダウンロードする手法がある。当該プログラムをダウンロードする手法の場合、制御装置３は、ネットワークを用いて他の装置と通信するための通信機能を有していればよい。
【００５２】
（３．２．３）出湯制御部
出湯制御部３２は、シャワー５２からの出湯を制御する。より詳細には、出湯制御部３２は、バルブ５４の開閉を制御することによって、シャワー５２からの出湯を制御する。例えば、シャワー５２のカラン（図示せず）が開いている状態で、出湯制御部３２は、バルブ５４を開くことによって、給湯器５１からシャワー５２までの給水路５３を開く。これにより、給湯器５１からシャワー５２へ湯水が流れ、シャワー５２から湯水が放出される。一方、出湯制御部３２は、バルブ５４を閉めることによって、給湯器５１からシャワー５２までの給水路５３を閉じる。これにより、シャワー５２のカランが開いていたとしても、給湯器５１からシャワー５２への湯水が遮断される。つまり、シャワー５２からの出湯が停止する。
【００５３】
出湯制御部３２は、第２通信部３１で検出結果が受信されると、シャワー５２からの出湯を停止させる。つまり、出湯制御部３２は、身体を洗うための洗浄剤７を排出するための動作についての動作情報が取得されると、シャワー５２からの出湯を停止させる。
【００５４】
出湯制御部３２は、出湯を停止させた後に所定の事象が発生すると、出湯を再開させる。本実施形態では、出湯制御部３２は、タイマ３３で計測された経過時間が停止時間を超えると、出湯を再開させる。特に、本実施形態では、出湯制御部３２は、タイマ３３で計測された経過時間がセンサ装置２の識別情報に対応する停止時間を超えると、出湯を再開させる。
【００５５】
（３．２．４）タイマ
タイマ３３は、出湯を停止させてからの経過時間を計測する。より詳細には、タイマ３３は、第２通信部３１でセンサ２１の検出結果が受信されると、出湯制御部３２が出湯を停止させてからの経過時間を計測する。
【００５６】
（３．２．５）報知制御部
報知制御部３４は、操作装置４の表示部４１及び音出力部４３を制御する。より詳細には、経過時間が停止時間に近づいた場合、報知制御部３４は、経過時間が停止時間に近づいた旨を報知するように表示部４１及び音出力部４３を制御する。さらに、経過時間が停止時間になった場合、報知制御部３４は、出湯が再開する旨を報知するように表示部４１及び音出力部４３を制御する。
【００５７】
（３．２．６）音声認識部
音声認識部３６は、ユーザが発した音声を認識する。より詳細には、音声認識部３６は、操作装置４に設けられた後述の音声入力部４４に入力された音声を認識する。
【００５８】
出湯が停止している期間に、出湯させたい旨の音声が音声認識部３６で認識されると、出湯制御部３２は、シャワー５２からの出湯を再開させる。
【００５９】
また、出湯が停止している期間に、停止時間を変更するための変更要求がある場合、出湯制御部３２は、停止時間を変更する。変更要求は、停止時間を延長するための延長要求と、停止時間を短縮するための短縮要求とを含む概念である。停止時間を延長するための延長要求がある場合、出湯制御部３２は、停止時間を延長する。例えば最初の停止時間が５分間である場合、「３０秒延長」という音声が音声認識部３６で認識されると、出湯制御部３２は、停止時間を５分から５分３０秒に延長する。停止時間を短縮するための短縮要求がある場合、出湯制御部３２は、停止時間を短縮する。例えば最初の停止時間が５分間である場合、「１５秒短縮」という音声が音声認識部３６で認識されると、出湯制御部３２は、停止時間を５分から４分４５秒に短縮する。
【００６０】
（３．３）操作装置
操作装置４は、表示部４１（報知部）と、操作部４２と、音出力部４３（報知部）と、音声入力部４４とを備える。操作装置４は、例えば浴室内に設置されている。
【００６１】
表示部４１は、例えば表示パネルであり、浴槽に貯えられる湯水の温度、シャワー５２から出力される湯水の温度等、種々の情報を表示する。さらに、表示部４１は、経過時間が停止時間に近づいた場合、報知制御部３４の制御に従って、出湯を停止させてからの経過時間が停止時間に近づいた旨を表示する。さらに、表示部４１は、出湯を停止させてからの経過時間が停止時間になった場合、出湯が再開する旨を表示する。操作部４２は、浴室に居るユーザが操作するための操作ボタンを有し、湯水の温度の変更等、ユーザの種々の操作を受け付ける。
【００６２】
音出力部４３は、例えば小型スピーカであり、種々の情報を音（警報音、ブザー音を含む）又は音声にて出力してユーザに伝える。音出力部４３は、例えば、浴室に居るユーザに、出湯が再開する旨を報知する。より詳細には、音出力部４３は、制御装置３の報知制御部３４の制御に従って、出湯が再開する旨を、警報音、ブザー音、又は音声にて出力する。これにより、ユーザは、出湯が再開されることを知ることができる。また、音出力部４３は、報知制御部３４の制御に従って、経過時間が停止時間に近づいている旨を、警報音、ブザー音、又は音声にて出力する。これにより、ユーザは、もうすぐ出湯が再開されることを知ることができる。音声入力部４４は、例えば小型マイクロフォンであり、ユーザの発する音声の入力を受け付ける。
【００６３】
（４）出湯制御システムの動作
次に、本実施形態に係る出湯制御システム１の動作（出湯制御方法）について、図３を参照して説明する。最初の状態では、シャワーのカラン（図示せず）及びバルブ５４の両方が開状態であり、シャワー５２から湯水が放出されている。
【００６４】
容器６の押下をセンサ装置２のセンサ２１が検出する（ステップＳ１）。第１通信部２２は、センサ２１の検出結果を含む無線信号を送信する（ステップＳ２）。制御装置３の第２通信部３１は、第１通信部２２からの無線信号を受信する（ステップＳ３）。第２通信部３１で無線信号が受信されると、出湯制御部３２は、バルブ５４を閉じるように制御する（ステップＳ４）。つまり、出湯制御部３２は、シャワー５２からの出湯を停止させる。シャワー５２のカランは開いたままである。
【００６５】
その後、タイマ３３が、出湯制御部３２が出湯を停止させてからの経過時間の計測を開始する（ステップＳ５）。タイマ３３による経過時間が停止時間の少し前になると（ステップＳ６のＹｅｓ）、報知制御部３４は、出湯の停止を開始してからの経過時間が停止時間に近づいていることを報知するように操作装置４の表示部４１及び音出力部４３を制御する（ステップＳ７）。例えば、停止時間が５分である場合、経過時間が４分５０秒である時点で、音出力部４３は、「あと１０秒でお湯が出ます、ピッ、ピッ……」という音声を出力する。表示部４１及び音出力部４３は、報知制御部３４の制御に従って、経過時間が停止時間に近づいていることを報知する。これにより、ユーザは、もうすぐ出湯の停止が終了することを知ることができる。
【００６６】
ここで、停止時間の変更要求があった場合（ステップＳ８のＹｅｓ）、出湯制御部３２は、停止時間を延長又は短縮する（ステップＳ１２）。例えば、停止時間が５分である場合、「３０秒延長」という音声が音声認識部３６で認識されると、出湯制御部３２は、停止時間を５分３０秒に変更する。一方、「１５秒短縮」という音声が音声認識部３６で認識されると、出湯制御部３２は、停止時間を４分４５秒に変更する。その後、ステップＳ６に戻る。
【００６７】
一方、変更要求がなかった場合であって（ステップＳ８のＮｏ）、経過時間が停止時間未満であるとき（ステップＳ９のＮｏ）、ステップＳ８に戻る。
【００６８】
ステップＳ９において、経過時間が停止時間以上になったとき（ステップＳ９のＹｅｓ）、報知制御部３４は、出湯が再開することを報知するように操作装置４の表示部４１及び音出力部４３を制御する（ステップＳ１０）。表示部４１及び音出力部４３は、報知制御部３４の制御に従って、出湯が再開することを報知する。例えば、音出力部４３が「お湯が出ます」という音声を出力する。その後、出湯制御部３２は、バルブ５４を開状態にさせる（ステップＳ１１）。つまり、出湯制御部３２は、出湯制御を行う。
【００６９】
なお、シャンプーとリンスとを連続して行う場合、ステップＳ１〜ステップＳ１２の動作を２回繰り返す。
【００７０】
（５）効果
以上説明したように、本実施形態に係る出湯制御システム１では、容器６に取り付けられるセンサ装置２において、容器６から洗浄剤７を排出するための動作をセンサ２１が検出し、制御装置３において、容器６から洗浄剤７を排出するための動作についての検出結果を第２通信部３１が受信すると、出湯制御部３２が出湯を停止させる。これにより、適切なタイミングで出湯を停止させて出湯量を低減させることができる。例えば、身体を洗っている期間、出湯を停止させることができるので、身体を洗っている期間の出湯量を低減させることができる。
【００７１】
本実施形態に係る出湯制御システム１では、センサ装置２の第１通信部２２と制御装置３の第２通信部３１との間で無線通信が行われる。これにより、有線で通信を行う場合とは異なり、配線作業を不要とする。入浴者は、見かけ上、従来と同じような雰囲気で、身体を洗うことができる。
【００７２】
本実施形態に係る出湯制御システム１では、センサ装置２の識別情報ごとに停止時間が記憶されている。これにより、容器６ごとに停止時間を変えることができる。例えば、シャンプーを使っているときと、リンスを使っているときとで、停止時間を変えることができる。また、複数の入浴者が互いに異なるシャンプーを使う場合では、入浴者によって停止時間を変えることができるので、停止時間を個人の好みに合わせることができる。
【００７３】
本実施形態に係る制御装置３では、身体を洗うための洗浄剤７を排出するための動作についての動作情報を第２通信部３１（取得部）が取得すると、出湯制御部３２が出湯を停止させる。これにより、身体を洗っている期間の出湯量を低減させることができる。
【００７４】
本実施形態に係る制御装置３では、第２通信部３１（取得部）が、容器６から洗浄剤７を排出するための動作を検出するセンサ２１の検出結果を動作情報として取得する。これにより、容器６から洗浄剤７を排出するための動作に関する動作情報を精度よく取得することができる。
【００７５】
本実施形態に係る制御装置３では、所定の事象が発生すると、出湯制御部３２が出湯を再開させる。これにより、身体に付着した洗浄剤７を洗い流すときに湯水を使うことができる。
【００７６】
本実施形態に係る制御装置３では、出湯を停止させてからの経過時間が停止時間を超えると、出湯制御部３２が出湯を再開させる。これにより、自動で出湯を再開させることができる。例えば、身体を洗うための時間が予測できていたら、上記時間を停止時間として記憶部３５に事前に記憶させておくことで、身体を洗い終わったタイミングで、自動で出湯を再開させることができる。
【００７７】
本実施形態に係る制御装置３では、音声認識部３６で音声が認識されると、出湯制御部３２が出湯を再開させる。これにより、入浴者の手を使わずに簡単に出湯を再開させることができる。
【００７８】
本実施形態に係る制御装置３では、無線通信によって動作情報を取得する。これにより、有線で通信を行う場合とは異なり、配線作業を不要とする。入浴者は、見かけ上、従来と同じような雰囲気で、身体を洗うことができる。
【００７９】
本実施形態に係る制御装置３では、変更要求に応じて停止時間を延長又は短縮させることができる。これにより、身体を洗う時間がいつもより長くなりそうな場合、出湯を再開させるタイミングをいつもより遅らせることができる。逆に、身体を洗う時間がいつもより短くなりそうな場合、出湯を再開させるタイミングをいつもより早めることができる。
【００８０】
本実施形態に係るセンサ装置２では、容器６から洗浄剤７を排出するための動作をセンサ２１が検出し、センサ２１の検出結果を第１通信部２２が送信する。これにより、センサ２１の検出結果の送信先である制御装置３が出湯を停止させることができるので、身体を洗っている期間の出湯量を低減させることができる。
【００８１】
（６）変形例
以下、本実施形態の変形例について説明する。
【００８２】
出湯制御システム１において、図４に示すような専用の容器６ａを用いてもよい。容器６ａは、センサ装置２ａと、容器本体６１ａ、ポンプノズル６２ａとを備える。容器本体６１ａは、洗浄剤７を収容する。ポンプノズル６２ａは、ユーザの押操作がなされる押操作部６３ａを有する。センサ装置２ａは、容器本体６１ａに取り付けられている。なお、センサ装置２ａは、センサ装置２と同様、センサ２１と、第１通信部２２と、記憶部２３と、電池２４とを備える。
【００８３】
本変形例に係る容器６ａでは、容器６ａから洗浄剤７を排出するための動作をセンサ２１が検出し、センサ２１の検出結果を第１通信部２２が送信する。これにより、センサ２１の検出結果の送信先である制御装置３が出湯を停止させることができるので、身体を洗っている期間の出湯量を低減させることができる。
【００８４】
実施形態の変形例として、センサ装置２の数は１つであってもよいし、３つ以上であってもよい。要するに、出湯制御システム１は、少なくとも１つのセンサ装置２を備えていればよい。
【００８５】
センサ装置２の第１通信部２２と制御装置３の第２通信部３１との間の通信は、無線通信に限定されない。上記通信は、有線による通信であってもよい。第１通信部２２と第２通信部３１とを電線で繋げればよい。
【００８６】
なお、変更要求（停止時間を延長するための延長要求、停止時間を短縮するための短縮要求）は、音声で要求されることに限定されない。例えば、変更要求は、操作ボタンで要求されてもよい。操作装置４の操作部４２の操作ボタンが押されると、停止時間が延長又は短縮されるようにしてもよい。例えば、操作部４２の延長用の操作ボタンが押されるごとに、停止時間が３０秒延長されるというようにしてもよい。また、操作部４２の短縮用の操作ボタンが押されるごとに、停止時間が１５秒短縮されるというようにしてもよい。
【００８７】
制御装置３の出湯制御部３２は、給湯器５１とシャワー５２との間の給水路５３に設けられたバルブ５４の開閉を制御することに限定されない。シャワー５２が制御装置３と通信する機能を有していれば、制御装置３の出湯制御部３２は、第２通信部３１を介してシャワー５２と通信を行うことによって、シャワー５２からの出湯を制御してもよい。
【００８８】
出湯制御システム１は、浴室のシャワー５２からの出湯に限定されず、例えば洗面台の蛇口からの出湯を制御するために用いられてもよい。この場合、洗浄剤７は例えばハンドソープである。ユーザが容器６からハンドソープを排出するための動作を行ったときに、センサ２１の検出結果を第１通信部２２が第２通信部３１へ送信する。センサ２１の検出結果が第２通信部３１で受信されると、出湯制御部３２は、蛇口からの出湯を停止させる。
【００８９】
あるいは、出湯制御システム１は、例えばホテルの浴室の壁面に設けられている容器にセンサが取り付けられてもよい。
【００９０】
上記の各変形例に係る出湯制御システム１においても、本実施形態に係る出湯制御システム１と同様の効果を奏する。
【００９１】
以上説明した実施形態及び変形例は、本発明の様々な実施形態及び変形例の一部に過ぎない。また、実施形態及び変形例は、本発明の目的を達成できれば、設計等に応じて種々の変更が可能である。
【符号の説明】
【００９２】
１  出湯制御システム
２，２ａ  センサ装置
２１  センサ
２２  第１通信部
３  制御装置
３１  第２通信部（取得部）
３２  出湯制御部
３３  タイマ
３５  記憶部
３６  音声認識部
６，６ａ  容器
６１，６１ａ  容器本体
７  洗浄剤
【図１】
2019166109.tif 000003
【図２】
2019166109.tif 000004
【図３】
2019166109.tif 000005
【図４】
2019166109.tif 000006